(57)【要約】本発明は、物品を形成するための独特な方法及び装置（２０）を提供する。本発明の技術は、第１のパネル層（２２）を準備する段階と、第２のパネル層（２８）を第１のパネル層（２２）の上に配置する段階とを含む。第１のパネル層（２２）の内側寄り部分（２４）は、第２のパネル層（２８）の内側寄り部分（３０）に取り付けられ、タブウェブ（３４）の側部領域（３６）は、第１及び第２パネル層（２２，２８）の少なくとも一方の内側寄り部分（２４，３０）に取り付けられて、第１の組立体ウェブ（４８）を形成する。締結機構（４０）は、タブウェブ（３４）に取り付けられ、第１及び第２パネル層（２２，２８）の少なくとも一方の外側寄り部分（２６，３２）は、折り畳まれて折畳み層（４４）及び突出層（４６）を形成する。パネル組立体（５０）の突出層部分（５６）は、物品セグメント（６０）の第１のウエストバンド部分（６２）に取り付けられ、物品セグメント（６０）は、横断方向に折り畳まれて折畳み物品セグメントを形成する。次に、パネル組立体（５０）の折畳み層部分（４４）を、折畳み物品セグメントの第２のウエストバンド部分（６４）に取り付けることができる。
2004529683.tif 000002
【特許請求の範囲】
【請求項１】
第１の内側寄り部分と第１の外側寄り部分とを有する第１のパネル層を準備する段階と、
第２の内側寄り部分と第２の外側寄り部分とを有する第２のパネル層を、前記第１のパネル層の上に配置する段階と、
前記第１のパネル層の前記内側寄り部分を、前記第２のパネル層の前記内側寄り部分に取り付ける段階と、
第１の組立体ウェブを形成するために、タブウェブの側部領域を前記第１及び第２パネル層の少なくとも一方の内側寄り部分に取り付ける段階と、
前記タブウェブの指定された固定表面に取付けられた締結機構を準備する段階と、
前記第１及び第２パネル層の少なくとも一方の外側寄り部分を折り畳み、それによって折畳み層及び突出層を形成する段階と、
複数の個別のパネル組立体を形成するために、前記第１の組立体ウェブを切断する段階と、
タブウェブ部分、折畳み層部分、及び、突出層部分を含むように各パネル組立体を構成する段階と、
第１のウエストバンド部分と、第２のウエストバンド部分と、前記第１及び第２ウエストバンド部分を相互に結合する中間部分とを有する物品セグメントを準備する段階と、
少なくとも１つのパネル組立体の突出層部分を、前記物品セグメントの前記第１のウエストバンド部分の側部部分に取り付ける段階と、
折畳み物品セグメントを形成するために、前記物品セグメントを横断方向に延びた折線に沿って横断方向に折り畳む段階と、
少なくとも１つのパネル組立体の前記折畳み層部分を、折畳み物品セグメントの前記第２ウエストバンド部分の側部部分に取り付ける段階と、
を含むことを特徴とする、物品を形成する方法。
【請求項２】
前記少なくとも１つのパネル組立体の前記折畳み層部分を、前記折畳み物品セグメントの前記第２ウエストバンド部分の前記側部部分の回りに折り曲げる段階を更に含むことを特徴とする請求項１に記載の方法。
【請求項３】
前記少なくとも１つのパネル組立体の前記タブウェブ部分を、前記折畳み物品セグメントの前記第２ウエストバンド部分の前記側部部分の回りに折り曲げる段階を更に含むことを特徴とする請求項２に記載の方法。
【請求項４】
第３の内側寄り部分と第３の外側寄り部分とを有する第３のパネル層を準備する段階と、
第４の内側寄り部分と第４の外側寄り部分とを有する第４のパネル層を、前記第３のパネル層の上に配置する段階と、
前記第３のパネル層の前記内側寄り部分を、前記第４のパネル層の前記内側寄り部分に取り付ける段階と、
前記タブウェブの第２の側部領域を、前記第３及び第４パネル層の少なくとも一方の内側寄り部分に取り付ける段階と、
を更に含むことを特徴とする請求項１に記載の方法。
【請求項５】
前記第１の組立体ウェブ及び少なくとも第２の組立体ウェブを形成するために、少なくとも前記タブウェブを少なくとも１つのほぼ縦方向に延びる蛇行線に沿って分割する段階を更に含むことを特徴とする請求項４に記載の方法。
【請求項６】
第２の複数の個別の相補的パネル組立体を形成するために、前記第２の組立体ウェブを切断する段階と、
相補的折畳み層及び相補的突出層を形成するために、前記第３及び第４パネル層の少なくとも一方の外側寄り部分を折り畳む段階と、
相補的タブウェブ部分、相補的折畳み層部分、及び、相補的突出層部分を含むように各相補的パネル組立体を構成する段階と、
を更に含むことを特徴とする請求項５に記載の方法。
【請求項７】
少なくとも１つの相補的パネル組立体の相補的突出層部分を、前記物品セグメントの前記第１ウエストバンド部分の対向する側部部分に取り付ける段階、
を更に含むことを特徴とする請求項６に記載の方法。
【請求項８】
前記少なくとも１つの相補的パネル組立体の相補的折畳み層部分を、前記折畳み物品セグメントの前記第２ウエストバンド部分の別の側部部分に取り付ける段階、
を更に含むことを特徴とする請求項７に記載の方法。
【請求項９】
前記第１のパネル層、前記第２のパネル層、及び、前記タブウェブを、ほぼ縦方向に延びる第１の蛇行線に沿って分割する段階と、
前記第１及び第２蛇行線の間にストリップ部分を形成するために、前記第３のパネル層、前記第４のパネル層、及び、前記タブウェブを、ほぼ縦方向に延びる第２の蛇行線に沿って分割する段階と、
前記第１の組立体ウェブと第２の組立体ウェブとを形成するために、前記ストリップ部分を除去する段階と、
を更に含むことを特徴とする請求項４に記載の方法。
【請求項１０】
第２の複数の個別の相補的パネル組立体を形成するために、前記第２の組立体ウェブを切断する段階と、
相補的折畳み層及び相補的突出層を形成するために、前記第３及び第４パネル層の少なくとも一方の外側寄り部分を折り畳む段階と、
相補的タブウェブ部分、相補的折畳み層部分、及び、相補的突出層部分を含むように各相補的パネル組立体を構成する段階と、
を更に含むことを特徴とする請求項９に記載の方法。
【請求項１１】
少なくとも１つの相補的パネル組立体の相補的突出層部分を、前記物品セグメントの前記第１ウエストバンド部分の対向する側部部分に取り付ける段階、
を更に含むことを特徴とする請求項１０に記載の方法。
【請求項１２】
前記少なくとも１つの相補的パネル組立体の相補的折畳み層部分を、前記折畳み物品セグメントの前記第２ウエストバンド部分の別の側部部分に取り付ける段階、
を更に含むことを特徴とする請求項１１に記載の方法。
【請求項１３】
前記第１及び第２パネル層の少なくとも一方の外側寄り部分を折り畳む段階は、前記第１の蛇行線に沿って分割する段階の前に行われることを特徴とする請求項１２に記載の方法。
【請求項１４】
前記第１及び第２パネル層の少なくとも一方の外側寄り部分を折り畳む段階は、前記第１の蛇行線に沿って分割する段階の後に行われることを特徴とする請求項１２に記載の方法。
【請求項１５】
前記第３及び第４パネル層の少なくとも一方の外側寄り部分を折り畳む段階は、前記第２の蛇行線に沿って分割する段階の前に行われることを特徴とする請求項１２に記載の方法。
【請求項１６】
前記第３及び第４パネル層の少なくとも一方の外側寄り部分を折り畳む段階は、前記第２の蛇行線に沿って分割する段階の後に行われることを特徴とする請求項１２に記載の方法。
【発明の詳細な説明】
【技術分野】
【０００１】
本発明は、物品を形成するための技術に関する。より詳細には、本発明は、予め締結した締結システムを有する物品を形成するための技術に関する。
【背景技術】
【０００２】
使い捨ておむつのような従来の吸収性物品は、伸縮自在のウエストバンドを用いて構成されてきた。特定の物品の設計には、エラストマー性ウェブ材料及び不織布層を含むことができて、かつ延伸結合積層体として形成することができる延伸可能な外側カバーが組み込まれている。他の従来の設計は、ポリマーフィルム材料で構成された外側カバーの横方向側縁に結合されたエラストマー性又は非エラストマー性の側部パネル部材を含み、ファスナ及び締結タブが、物品を着用者に固定するために側部パネルに結合されて取り付けられてきた。締結タブは、接着剤締結システム、又は、フック／ループ式ファスナの相補的部品を含む機構のような機械的締結システムを含むことができる。
【０００３】
【特許文献１】
米国特許第５，２３４，５６７号
【特許文献２】
米国特許出願一連番号１６８，６１５
【特許文献３】
米国特許第５，６２４，４２９号
【特許文献４】
米国特許第５，３９９，２１９号
【特許文献５】
米国特許第５，５４０，７９６号
【特許文献６】
米国特許第５，５９５，６１８号
【特許文献７】
米国特許第４，６６３，２２０号
【特許文献８】
欧州特許出願ＥＰ０２１７０３２Ａ２
【特許文献９】
米国特許第５，２２６，９９２号
【特許文献１０】
米国特許第５，７５９，３１７号
【特許文献１１】
米国特許第５，７１６，４７８号
【特許文献１２】
米国特許第６，０２２，４４３号
【特許文献１３】
米国特許出願一連番号０９／２２２，０９５
【特許文献１４】
米国特許第５，７１６，４７８号
【特許文献１５】
米国特許第６，０２２，４４３号
【特許文献１６】
米国特許出願一連番号０９／２２２，０９５
【発明の開示】
【発明が解決しようとする課題】
【０００４】
従来の技術は、ほぼ矩形の側部パネル部材を備えるか、又は、目標とする縁部外形を有する成形側部パネル部材を備えた締結システムを有する物品を形成するために用いられてきた。機械的締結部品のストリップが取り付けられた側部パネル材料のウェブの中央領域から連続ダイカットストリップを除去するために、特定の技術が形成されてきた。しかし、上述のような従来の方法は、目標とする高速の製造作動に組み入れた場合には大幅な改良の余地がある。例えば、この方法の装置は、調節可能なウエストサイズを有する目標とする予め締結された物品を高速作動中に十分に生成することができるものではなかった。この方法はまた、予め締結された固定システム、及び、目標とするレベルのフィット性及び快適性を与える体形に合った脚開口部を有する物品を十分確実に生成することができるものではなかった。その結果、製造中に予め締結され、信頼性があって操作が簡単な締結システムを有する物品を一層効率的に生成することができる改良された製造技術の必要性が依然として存在している。
【課題を解決するための手段】
【０００５】
本発明は、吸収性物品のような物品を形成するための独特な方法及び装置を提供する。本発明の技術は、第１の内側寄り部分及び第１の外側寄り部分を有する第１のパネル層を準備する段階を含むことができる。第２のパネル層は、第１のパネル層の上に配置され、第２の内側寄り部分及び第２の外側寄り部分を含む。第１のパネル層の内側寄り部分は、第２のパネル層の内側寄り部分に取り付けることができ、タブウェブの側部領域を第１及び第２パネル層の少なくとも一方の内側寄り部分に取り付け、第１の組立体ウェブを形成することができる。締結機構は、タブウェブの指定された固定表面に取り付けられた構成で準備することができ、第１及び第２パネル層の少なくとも一方の外側寄り部分を折り畳み、それによって折畳み層及び突出層を形成することができる。更に、第１の組立体ウェブを切断して複数の個々のパネル組立体を形成することができ、各パネル組立体は、タブウェブ部分、折畳み層部分、及び、突出層部分を含むように構成することができる。物品セグメントは、第１のウエストバンド部分、第２のウエストバンド部分、及び、第１及び第２ウエストバンド部分を相互に結合する中間部分を有する物品セグメントにより形成することができる。少なくとも１つのパネル組立体の突出層部分は、物品セグメントの第１ウエストバンド部分の側部部分に取り付けることができ、物品セグメントは、横方向に延びる折線に沿って折り曲げられ、折畳み物品セグメントを形成することができる。更に、少なくとも１つのパネル組立体の折畳み層部分は、折畳み物品セグメントの第２ウエストバンド部分の側部部分に取り付けることができる。
【０００６】
特定の態様では、第一組立体ウェブを切断する段階は、第１のパネル層と、第２のパネル層と、タブウェブとを切断する段階を含むことができる。別の態様では、この開示した方法及び装置は、折畳み物品セグメントの第２ウエストバンド部分の側部部分の回りに、少なくとも１つのパネル組立体の折畳み層部分を折り曲げる段階を更に含むことができる。更に、本発明の技術は、折畳み物品セグメントの第２ウエストバンド部分の側部部分の回りに、少なくとも１つのパネル組立体のタブウェブ部分を折り曲げる段階を含むことができる。
【０００７】
本発明の様々な態様は、予め締結したおむつのような完全に組み立てられた３次元の物品を製造するための改良技術を有利に提供することができる。本発明は、独特な側部パネル部材を組み込むことができ、この側部パネル部材は、調節機能をもたらすように構成することができる。特定の態様では、側部パネル部材は、「Ｙ字形の耳」構成要素をもたらすことができ、別の態様では、本発明は、独特な折り畳み方法を用いて、目標とする予め締結した物品を一層効率よく生成することができる。この技術を用いると、予め締結した物品を高速で製造することができ、側部パネル部材を保持し、折り畳み、及び／又は、延伸するための複雑な機構を用いることなく、得られる物品をより効果的かつ効率的に生成することができる。その結果、本発明は、その様々な構成において、より多目的な締結システムを有する物品をより確実に形成するための改良技術を提供することができる。更に、本発明は、従来の製造システムに伴ってきた位置合わせ問題をより効果的に避けることができる。得られる物品及び締結システムは、より一貫した品質を有し、より信頼できる性能を提供することができる。
本発明は、以下の詳細説明及び添付図面を参照すると、より完全に理解され、更に別の利点も明らかになるであろう。
【発明を実施するための最良の形態】
【０００８】
本発明の方法及び装置は、吸収性物品、具体的には使い捨て吸収性物品のための締結システムの生成におけるその使用に関連させて本明細書において以下に説明する。このような物品は、着用者の身体に接するか、又は、その近傍に置かれ、身体から排泄される様々な排泄物を吸収して収容することができ、ある限定された使用期間の後に廃棄するように意図されている。この物品は、再使用のために洗濯又は他の方法で復元することは意図されていない。本明細書では、おむつ物品に関して特に説明が為されるが、本発明はまた、帽子、ガウン、ドレープ、カバー類、大人用失禁衣類、生理用ナプキン、及び、幼児用トレーニングパンツなどのような他の物品にも適用可能であることを理解すべきである。
【０００９】
また、本開示内容に用いる場合、「含む」、「含んでいる」、及び、「含む」という語根用語からの他の派生語は、あらゆる説明した特徴、要素、完全体、段階、又は、構成要素の存在を明記する非制限的な用語であることを意図しており、１つ又はそれ以上の他の特徴、要素、完全体、段階、構成要素、又は、これらの群の存在又は追加を除外することを意図していないということに注意すべきである。
本開示内容は、本発明の「態様」又は他の同様の用語で個別的又は集合的に参照することもできる、その様々な構成部品、要素、構成、形態、配置、及び、他の特徴を用いて表されることになる。開示された本発明の様々な形態は、その様々な特徴及び態様の１つ又はそれ以上を組み込むことができ、このような特徴及び態様は、そのいかなる目標とする作動的組合せにも用いることができるように考慮されている。
【００１０】
図１５、図１６、及び、図１７を参照すると、本発明は、前部ウエストバンド部分、後部ウエストバンド部分、及び、前部及び後部ウエストバンド部分を相互に結合する中間部分を有する典型的に図示した使い捨ておむつのような吸収性物品の中に組み込むための締結システムを一層効率的に生成するために有利に用いることができる。この物品は、裏面シート層と、裏面シート層に重ねられて、それに結合された液体透過性上面シート層とを含むことができる。望ましくは、裏面シート層は、実質的に液体不透過性となるように構成される。裏面シート層と上面シート層との間には吸収体が配置され、締結システムは、前部及び後部ウエストバンド部分の少なくとも一方の横方向に対向する端部領域のいずれか又は両方で物品に結合することができる。締結又は固定システムは、接着剤締結機構又は機械的締結機構など、及び、その組合せを含むことができる。各締結システムは、１つ又はそれ以上の側部パネル部材を有する組立体を含むことができ、この側部パネル部材の１つ又はそれ以上は、任意選択的に、物品の少なくとも横向き横断方向に沿ってエラストマー的に延伸可能に構成することができる。予め締結した物品では、側部パネル部材及びそれに対応する締結システムは、製造中に組立てを行い、物品の前部及び後部ウエスト部分を作動的に予め取り付けて予め結合し、それによって意図した使用中に着用者の身体を取り囲むようにすることができる。締結システムは、物品を着用者に固定するために締結タブ部分を形成することができ、それに付随した対応する側部パネル組立体と作動的に接合する。目標とする構成では、締結タブ部分は、選択的に外して再配置され、個々の着用者に合うように物品のフィット性を調節することができる。特定の態様では、予め締結したおむつをもたらすために、本発明の方法及び装置は、おむつの耳を付加して取り付けるように構成することができる。
【００１１】
エラストマー性側部パネル及び選択的に構成された締結タブを含む物品は、１９９３年１２月１６日出願（代理人ドケット番号１０，９６１号）の「動的フィット性を有するおむつ」という名称のＴ．Ｒｏｅｓｓｌｅｒ他による米国特許出願一連番号１６８，６１５、及び、１９９７年４月２９日にＡ．Ｌｏｎｇ他に付与された（代理人ドケット番号１２，５６３号）「グリップタブを備えた機械的締結システム」という名称の米国特許第５，６２４，４２９号に説明されている。締結システムを形成するための様々な技術は、１９９５年３月２１日にＴ．Ｒｏｅｓｓｌｅｒ他に付与された（代理人ドケット番号１１，１８６号）「動的フィット性を有するおむつのための締結システムを製造する方法」という名称の米国特許第５，３９９，２１９号、１９９６年７月３０日にＤ．Ｆｒｉｅｓに付与された（代理人ドケット番号１１，１６９号）「伸縮自在の耳部分を組み立てる方法」という名称の米国特許第５，５４０，７９６号、及び、１９９７年１月２１日にＤ．Ｆｒｉｅｓ他に付与された（代理人ドケット番号１１，９５０号）「積層テープの組立方法」という名称の米国特許第５，５９５，６１８号に説明されている。上述の文献の全開示内容は、本明細書と一致する（矛盾しない）方法で、本明細書において引用により組み込まれる。
【００１２】
図１、図９、及び、図１２を参照すると、本発明は、吸収性物品のような選択された物品６０を形成するための独特な方法及び装置２０を提供することができる。吸収性物品は、例えば、典型的に図示したような使い捨ておむつとすることができる。本発明の技術は、その様々な方法及び装置の態様において、第１の内側寄り部分２４及び第１の外側寄り部分２６を有する第１のパネル層２２を準備する段階を含む。第２のパネル層２８は、第１のパネル層２２の上に配置することができ、第２の内側寄り部分３０及び第２の外側寄り部分３２を含むことができる。第１のパネル層２２の内側寄り部分２４は、第２のパネル層２８の内側寄り部分３０に作動的に取り付けるか、又は、別の方法で接合することができ、タブウェブ３４の側部領域３６は、第１及び第２パネル層２２及び２８の少なくとも一方の内側寄り部分２４及び３０に作動的に取り付けるか、又は、別の方法で接合して第１の組立体ウェブ４８を形成することができる。締結機構４０は、タブウェブ３４の指定された固定表面３８に作動的に取り付けるか、又は、別の方法で接合することができる構成で準備することができる。更に、第１及び第２パネル層２２及び２８の少なくとも一方の外側寄り部分２６及び３２を折り畳み、それによって折畳み層４４及び突出層４６を形成することができる。例えば、この少なくとも１つのパネル層は、縦方向に延びる折線４２に沿って折り畳むことができる。第１の組立体ウェブ４８は、切断して複数の個々のパネル組立体５０を形成することができ、各パネル組立体５０は、タブウェブ部分５２、折畳み層部分５４、及び、突出層部分５６を含むように構成することができる。物品セグメント６０は、第１のウエストバンド部分６２、第２のウエストバンド部分６４、及び、第１及び第２ウエストバンド部分を相互に結合する中間部分６６を有する物品セグメントとして形成することができる。少なくとも１つのパネル組立体５０の突出層部分５６は、物品セグメント６０の第１ウエストバンド部分６２の側部部分６８に取り付けることができ、物品セグメント６０は、横断方向に延びる折線に沿って横向きに折り畳み、折畳み物品セグメントを形成することができる。この少なくとも１つのパネル組立体５０の折畳み層部分４４は、折畳み物品セグメントの第２ウエストバンド部分６４の側部部分７０に取り付けることができる。
【００１３】
特定の態様では、第１の組立体ウェブ４８を切断する段階は、第１パネル層２２、第２パネル層２８、及び、タブウェブ３４を切断する段階を含むことができる。別の態様では、本方法及び装置は、折畳み物品セグメントの第２ウエストバンド部分６４の側部部分７０の回りに、少なくとも１つのパネル組立体５０の折畳み層部分５４を折り曲げる段階を更に含むことができる。また、本発明の技術は、折畳み物品セグメントの第２ウエストバンド部分６４の側部部分７０の回りに、少なくとも１つのパネル組立体５０のタブウェブ部分５２を折り曲げる段階を更に含むことができる。
【００１４】
更に別の態様は、第３の内側寄り部分７４及び第３の外側寄り部分７６を有する第３のパネル層７２を準備する段階を含むことができる。第３のパネル層７２の上に第４のパネル層７８を配置することができ、第４のパネル層７８は、第４の内側寄り部分７４及び第４の外側寄り部分７６を有することができる。第３のパネル層７２の内側寄り部分７４は、第４のパネル層７８の内側寄り部分８０に取り付けることができる。更に、タブウェブ３４の第２の側部領域３６ａは、第３及び第４パネル層７２及び７８のうちの少なくとも一方の内側寄り部分に取り付けることができる。更に別の態様は、第１の組立体ウェブ４８及び少なくとも第２の組立体ウェブ４８ａを形成するために、少なくとも１つのほぼ縦方向に延びる蛇行線８６に沿って少なくともタブウェブ３４を分割する段階を含むことができる。
【００１５】
図１及び図２に典型的に図示するように、本方法及び装置は、一般に、縦方向の機械方向１６と、横又は横断方向の幅方向１８とを有することができる。本方法及び装置に関してどのような特定の選択された位置においても、機械方向は、本方法を通じて材料の特定のウェブ（又は、複合ウェブ）が移動するか又は搬送されるほぼ長さ方向である。幅方向は、材料ウェブの平面にほぼ沿って延び、選択された位置で本方法又は装置により確立された特定の機械方向に垂直である。
【００１６】
第１のパネル層２２は、第１パネル層供給装置１３０から送出すことができ、第２のパネル層２８は、第２パネル層供給装置１３２から送出すことができ、タブウェブ３４は、適切なタブウェブ供給装置１３８から送出すことができる。目標とする構成においては、第３のパネル層７２は、適切な第３パネル層供給装置１３４から送出すことができ、第４のパネル層７８は、適切な第４パネル層供給装置１３６から送出すことができる。
【００１７】
特定の構成においては、第１及び第２パネル層２２及び２８の少なくとも一方又は両方は、エラストマー的に延伸可能なエラストマー材料を含むことができる。この材料は、織布、編地、不織布、ポリマーフィルムなど、及び、その組合せを含むことができる。エラストマー材料は、例えば、「ＫＲＡＴＯＮ」エラストマー（シェル・オイル・カンパニーから入手可能）のようなスチレンブロックポリマー、メタロセン触媒エラストマー、ポリウレタンエラストマー、ポリエーテルアミドエラストマー、ポリエステルエラストマーなど、及び、その組合せを含むことができる。同様に、第３及び第４パネル層７２及び７８のいずれか又は両方は、エラストマー材料を含むことができる。更に、タブウェブ３４は、エラストマー材料を含むことができる。特定の構成においては、エラストマー材料は、少なくとも幅方向１８に沿ってエラストマー的に延伸可能であるように配置することができる。エラストマー材料は、例えば、延伸結合積層体（ＳＢＬ）材料、ネックボンデッド積層体（ＮＢＬ）材料、エラストマーフィルム、エラストマー発泡材料など、及び、その組合せとすることができる。例えば、パネルウェブ５６を形成するための適切なメルトブローンエラストマー繊維ウェブは、本明細書においてその全開示内容が引用により組み込まれる、１９８７年５月５日にＴ．Ｗｉｓｎｅｓｋｉ他に付与された米国特許第４，６６３，２２０号に説明されている。繊維弾性層に固定された少なくとも１つの不織布の層を含む複合布の例は、本明細書においてその全開示内容が引用により組み込まれる、発明者としてＪ．Ｔａｙｌｏｒ他が列挙されている１９８７年４月８日公開の欧州特許出願ＥＰ０２１７０３２Ａ２に説明されている。ＮＢＬ材料の例は、本明細書においてその全開示内容が引用により組み込まれる、１９９３年７月１３日にＭ．Ｍｏｒｍｏｎに付与された米国特許第５，２２６，９９２号に説明されている。特定のネックボンデッド積層体（ＮＢＬ）は、スパンボンド材料の２つの層に挟まれたエラストマー材料のフィルムを含むことができる。このフィルムは、「ＫＲＡＴＯＮ」エラストマー（シェル・オイル・カンパニーから入手可能）を含むことができ、スパンボンド層は、スパンボンドポリプロピレン繊維を含むことができる。
【００１８】
他の構成においては、第１パネル層、第２パネル層、第３パネル層、第４パネル層、及び、タブウェブのうちの１つ又はそれ以上は、実質的に非エラストマー性とすることができる。これらの構成要素は、実質的に非エラストマー性の材料を含むことができ、これらの材料には、織布、編地、不織布、ポリマーフィルムなど、及び、その組合せを含むことができる。これらの布は、天然繊維又は合成ポリマー繊維を含むことができる。非エラストマー材料に用いられるポリマーは、例えば、ポリプロピレン、ポリエチレン、ポリエステル、ナイロンなど、及び、その組合せを含むことができる。
【００１９】
本方法及び装置の作動中に、様々な構成要素を取り付ける段階には、任意の従来の固定機構を用いることができる。このような固定機構は、当業技術では公知であり、例えば、加圧結合、レーザ結合、マイクロ波結合、接着剤結合、密着結合、熱結合、音波結合、縫製、リベット、ステープル、「フック／ループ」式取付具、別の相互係合式機械的取付具など、及び、その組合せを含むことができる。典型的に図示した構成では、望ましくは、接着剤結合技術を用いることができる。このような接着剤結合技術には、例えば、ホットメルト接着剤、感圧接着剤など、及び、その組合せを含むことができる。
【００２０】
第２パネル層２８は、典型的に図示したガイドローラのシステムのような任意の適切な従来の搬送システムを用いて第１パネル層２２の上に配置される。望ましくは、第１パネル層２２の内側寄り部分２４は、適切な取付機構９４を用いて、第２パネル層２８の内側寄り部分３０に実質的に永久的に取り付けられる。典型的に図示した構成では、例えば、音波結合システムを用いて、目標とする取り付け及び固定を形成することができる。第１及び第２パネル層の取り付けられた内側寄り部分は、隣接するように配置された内側寄り縁部を持っても持たなくてもよい。
【００２１】
タブウェブ３４の側部領域３６は、作動的な固定装置９６を用いて第１及び第２パネル層２２及び２８の少なくとも一方の内側寄り部分２４及び３０に取り付けられ、第１の組立体ウェブ４８を形成する。典型的に図示するように、タブウェブは、第１及び第２パネル層の対応する末端縁部を超えて延びるように構成することができる。タブウェブ３４は、必要に応じて、第１及び第２パネル層を互いに取り付ける前又は後に、少なくとも１つのパネル層に取り付けることができる。
【００２２】
第２パネル層２８の内側寄り部分３０への第１パネル層２２の内側寄り部分２４の固定、及び、第１及び第２パネル層２２及び２８の少なくとも一方の内側寄り部分２４及び３０へのタブウェブ３４の固定は、単一の実質的に同時の取付作業で行うことができ、又は、別個の取付作業で行うこともできる。例えば、第１及び第２パネル層が実質的に隣接する場合には、第２パネル層２８の内側寄り部分３０への第１パネル層２２の内側寄り部分２４の固定、及び、第１及び第２パネル層２２及び２８の少なくとも一方の内側寄り部分２４及び３０へのタブウェブ３４の固定は、単一の取付作業で行うと好都合である。第１及び第２パネル層が隣接しない場合には、第１パネル層の末端縁部と関連する第２パネル層の末端縁部との間に著しいオフセット距離がある可能性がある。従って、第１層及び第２層の相互の固定及びタブウェブの固定は、別個の取付作業で行うと好都合である。
【００２３】
締結機構４０は、作動的な取付装置９８を用いてタブウェブ３４の指定された固定表面３８に作動的に取り付けられるか、又は、他の方法で接合される構成で設けられる。締結機構は、本発明の工程にタブウェブを導入する前にタブウェブに固定されていてもよい。代替的に、締結機構は、本開示方法の実行中に組み立てられてタブウェブに固定することができる。図示の構成においては、締結機構４０は、締結材料の単一ストリップの形態で与えられる。締結機構は、代替的に多重ストリップの形態又は他の任意の作動的構成としてもよい。
【００２４】
任意の適切な締結機構を用いることができる。このような締結機構には、接着剤ファスナ、密着ファスナ、相互係合式機械的ファスナなど、及び、その組合せを含むことができる。例えば、締結機構は、当業技術でその構造が公知である従来の「フック／ループ」式ファスナの協働する構成要素を含むことができる。典型的に図示した構成では、選択された締結機構は「フック」材料である。このようなフック材料は、フック要素を様々な形状、構成、及び、分布パターンで有することができる。例えば、フック要素の一般的な形状は、逆「Ｊ字形」、「Ｔ字形」、キノコ形、ネイルヘッド形など、及び、その組合せとしてもよい。任意選択的に、選択した締結機構４０は、従来の「ループ」材料を含むことができる。このようなループ材料は、編地、織布、不織布など、及び、その組合せを含むことができる。
【００２５】
第１及び第２パネル層２２及び２８の少なくとも一方の外側寄り部分２６及び３２を折り畳むことにより、折畳み層領域４４及び突出層領域４６が形成される（例えば、図３Ａ）。典型的に図示したように、少なくとも１つのパネル層は、本方法及び装置の機械方向１６に沿って延びる縦方向に延びた折線４２に沿って作動的に折り畳むことができる。折畳み板、折畳みスキー、折畳みプラウ、真空補助折畳み装置、又は、空気ブラスト補助折畳み装置などのような従来の折畳み機構を用いて、目標とする折畳みを作り出すことができる。典型的に図示した構成においては、従来の折畳み板９２（例えば、図９及び図１１）を用い、選択された折線４２に沿って少なくとも１つのパネル層を折り畳んで折畳み層４４を形成することができる。
【００２６】
望ましい態様では、第１の組立体ウェブ４８を作動的に切断して、複数の個々のパネル組立体５０を形成することができる。各パネル組立体５０は、タブウェブ部分５２、折畳み層部分５４、及び、突出層部分５６を含むように構成することができる。例えば、回転ナイフ、ダイカッタ、ウォータカッタ、レーザ又は他のエネルギ線カッタ、又は、高エネルギ粒子線カッタなどのような従来の分割又は切断装置を用いて、目標とするパネル組立体を生成することができる。典型的に図示した構成においては、速度適合ピンチカット機構を用いて、複数の個々のウェブ組立体５０に組立体ウェブ４８を分離することができる。
【００２７】
本発明の方法及び装置は、第３の内側寄り部分７４及び第３の外側寄り部分７６を有する第３のパネル層７２を準備する段階を更に含むことができる。第３パネル層７２の上に第４のパネル層７８が配置され、第４パネル層７８は、第４の内側寄り部分７４及び第４の外側寄り部分７６を有する。第３パネル層７２の内側寄り部分７４は、第４パネル層７８の内側寄り部分８０に取り付けられる。更に、タブウェブ３４の第２の側部領域３６ａは、第３及び第４パネル層７２及び７８のうちの少なくとも一方の内側寄り部分に取り付けられて複合ウェブ９０を形成する。第３パネル層、第４パネル層、及び、タブウェブ３４に関する様々な構成及び組立体は、第１パネル層、第２パネル層、及び、タブウェブに関して説明されて用いられたものと同様とすることができる。
【００２８】
図８、図８Ａ、及び、図９に典型的に示すように、本方法及び装置は、第１の組立体ウェブ４８及び少なくとも第２の組立体ウェブ４８ａを形成するために、少なくとも１つのほぼ縦方向に延びる蛇行線８６に沿って少なくともタブウェブ３４を分割する段階を含むことができる。本発明の様々な構成においては、目標とする１つ又は複数の蛇行分割線を形成するのに任意の従来型切断機構を用いることができる。図示した構成は、例えば、従来のダイ切断システム８８を用いることができる（例えば、図９及び図１１）。
【００２９】
第２の組立体ウェブ４８ａもまた切断され、第２の複数の個別相補的パネル組立体５０ａを形成することができる。第２の組立体ウェブを切断する段階は、第１の組立体ウェブ５０に用いた方法と同様の方法で行うことができる。また、第３及び第４パネル層７２及び７８の少なくとも一方の外側寄り部分は、縦方向に延びる相補的折線４２ａに沿って同様に折り畳まれ、それによって相補的折畳み層４４ａ及び相補的突出層４６ａを形成することができる。各相補的パネル組立体５０ａは、相補的タブウェブ部分５２ａ、相補的折畳み層部分５４ａ、及び、相補的突出層部分５６ａを含むように構成することができる。少なくとも１つの相補的パネル組立体５０ａの相補的突出層部分５６ａは、物品セグメント６０の第１ウエストバンド部分６２の対向する側部部分６８ａに取り付けることができる。更に、少なくとも１つの相補的パネル組立体５０ａの相補的折畳み層部分５４ａは、物品セグメントの第２ウエストバンド部分６４のその指定された側部部分７０ａに取り付けることができる。
【００３０】
本発明の特定の態様は、第１及び第２蛇行線の間に波状の蛇行ストリップ部分（図示せず）を形成するために、第１の蛇行線８６に沿うと共に、ほぼ縦方向に延びる第２の蛇行線８６ａに沿って少なくともタブウェブ３４を分割する段階を含むことができる。このストリップ部分は、取り除かれ、第１の組立体ウェブ４８及び第２の組立体ウェブ４８ａを形成することができる。
別の態様では、第１パネル層２２、第２パネル層２８、及び、タブウェブ３４は、ほぼ縦方向に延びる第１蛇行線８６に沿って分割することができ、また、第３パネル層７２、第４パネル層７８、及び、タブウェブ３４は、ほぼ縦方向に延びる第２蛇行線８６ａに沿って分割することができ、それによって第１及び第２蛇行線の間に波状ストリップ部分を形成することができる。このストリップ部分は、次に取り除かれ、第１の組立体ウェブ４８及び第２の組立体ウェブ４８ａを形成することができる。
【００３１】
蛇行分割線８６及び８６ａは、機械方向１６に沿ってほぼ縦方向に延びる。典型的に図示したように、分割線の各々は、タブウェブ３４を分割することができると共に、第１及び第２パネル層、又は、第３及び第４パネル層を分割するように延びる部分を有することができる。蛇行分割線８６及び８６ａは、交差しないことが望ましく、蛇行線の各々は、縦方向に延びる部分とほぼ横方向に延びる部分とを有することができる。それに加えて、蛇行分割線の各々は、締結機構４０の全横幅を横切って繰り返し横断すると共に、複合ウェブ９０の中間領域に沿ってほぼ縦方向に延び、蛇行ストリップ部分をもたらすことができる。各蛇行分割線の交互に横断する側部間部分は、その後退部分を任意選択的に含み、独特な形状の締結タブを形成することができる。
【００３２】
協働する分割線８６及び８６ａは、実質的に規則的に反復する周期的な縁部輪郭を有する実質的に連続的な蛇行ストリップを作動的に作り出すことができる。蛇行ストリップは、次に、ガイドローラシステム及び／又は従来型真空ダクトシステムを含むシステムのような従来型搬送システムを用いて、複合ウェブ９０から容易に取り去ることができる。蛇行ストリップを生成して加工する適切な技術の例は、全開示内容が本明細書と矛盾しない方法で本明細書に引用により組み込まれる、１９９８年６月２日にＤ．Ａ．Ｊｕｓｔｍａｎｎに付与された（代理人ドケット番号１２，６３７号）「機械的ファスナを製造する方法」という名称の米国特許第５，７５９，３１７号に説明されている。
【００３３】
望ましい態様では、第１及び第２パネル層２２及び２８の少なくとも一方の外側寄り部分を折り畳む段階は、第１蛇行線８６に沿って分割する段階の前に行うことができる。更に、第３及び第４パネル層７２及び７８の少なくとも一方の外側寄り部分を折り畳む段階は、第２蛇行線８６ａに沿って分割する段階の前に行うことができる。
別の態様では、第１及び第２パネル層２２及び２８の少なくとも一方の外側寄り部分を折り畳む段階は、第１蛇行線８６に沿って分割する段階の後に行うことができる。更に、第３及び第４パネル層７２及び７８の少なくとも一方の外側寄り部分を折り畳む段階は、第２蛇行線８６ａに沿って分割する段階の後に行うことができる。作動的な第１の取付機構１００を組み込んで、個々のパネル組立体５０及び５０ａの突出層部分５６及び５６ａを、それらに対応する物品セグメント上の指定された位置に固定することができる。作動的な任意の取付機構を用いることができる。特定の構成においては、取付機構は、接着剤結合又は超音波結合など、及び、その組合せとすることができる。図１２及び図１３に典型的に示すように、例えば、第１の接着剤アプリケータシステム１０４は、第１の接着剤の選択されたパターンを突出層４６及び／又は４６ａの指定された固定表面上に作動的に付加するように構成され、第１の取付機構１００の選択された配置を形成することができる。望ましい構成においては、第１の接着剤は、個々のパネル組立体の突出層部分５６及び５６ａと、物品ウェブセグメント６０のその対応する取付領域との間の実質的に永久的な結合をもたらすように構成することができる。図１３に説明した構成に典型的に示すように、アプリケータシステム１０４とカッタ１１０との間に配置することができる処理機器への付加された接着剤のいかなる接触をも減らすために、アプリケータシステム１０４は、望ましくは、カッタ１１０の比較的近くに位置することができる。
【００３４】
更に、第２の取付機構１０２が組み込まれ、個々のパネル組立体５０及び５０ａの折畳み層部分５４及び５４ａを、それらに対応する物品セグメント上の指定された位置に固定する。任意の作動的な取付機構を用いることができる。特定の構成においては、この第２の取付機構は、接着剤結合、フック／ループ式取付装置、別の相互係合式機械的取付装置など、及び、その組合せとしてもよい。典型的に図示したように、第２の接着剤アプリケータ１０８の選択されたパターンは、折畳み層４４及び／又は４４ａの指定された固定表面１０９上に第２の接着剤を付加するように構成され、第２の取付機構１０２の選択された配置を形成することができる。望ましい構成においては、第２の接着剤は、個々のパネル組立体の折畳み層部分５４及び５４ａと、その指定された物品セグメント６０の対応する取付領域との間に比較的低強度の受動的結合をもたらすように構成することができる。
【００３５】
第１の組立体ウェブ４８及び／又は第２の組立体ウェブ４８ａは、典型的に図示した切断ナイフ１１０のような任意の従来型分離装置を用いて切断することができる。代替的に、本開示の他の部分で説明したような他の分離装置を用いてもよい。
目標とする物品セグメント６０を準備するために、任意の従来型搬送システムを用いて、選択された物品ウェブ５８を本方法及び装置内に供給することができる。物品ウェブ５８は、典型的には、相互に結合された複数の個別物品セグメント６０を含むことができ、各物品セグメント６０は、望ましくは、第１ウエストバンド部分６２と、第２ウエストバンド部分６４と、第１及び第２ウエストバンド部分を相互に結合する中間部分６６とを有する物品セグメントとして与えられる。
【００３６】
搬送システムは、例えば、物品ウェブ５８をアセンブリドラム１１４上に誘導するスプレッダロール１１８を含むことができる。物品ウェブは、典型的には、選択された機械速度でアセンブリドラム１１４の周りに誘導される。しかし、物品ウェブの機械速度は、切断ナイフ１１０内に供給されている組立体ウェブ４８及び４８ａの速度よりも大きくすることも小さくすることもできる。速度の差を埋め合わせるために、適合速度アプリケータ１１２を用いて、個々のパネル組立体５０を切断ナイフ１１０の位置から離れるように移動させ、移動する物品ウェブ５８に沿ってその個々のパネル組立体５０をその指定された位置上に移すことができる。
【００３７】
様々な適合速度アプリケータを用いることができる。例えば、適合速度アプリケータは、真空スリップロール、互いに別々に動く部分を有するセグメントロール、共通軸線の回りに回転するアームシステムなど、及び、その組合せを含むことができる。従って、適合速度アプリケータは、ある速度で移動する個別の部分を受け取り、その部分を異なる速度で移動するウェブに付加するための任意の従来型装置及び方法を含むことができる。望ましい構成においては、この装置は、例えば、特定の速度で移動する細長い弾性材料の連続的に移動するウェブから分離した個別の細長い弾性構成要素を受け取り、この個別の細長い弾性構成要素を異なる速度で移動する相互に結合された物品の製品ウェブ上に付加することができる。このような装置の例は、１９９８年２月１０日にＪ．Ｌ．Ｂｏｏｔｈｅ他に付与された（代理人ドケット番号１２，２４３号）「移動ウェブ上に個別の部分を付加するための装置及び方法」という名称の米国特許第５，７１６，４７８号に開示されている。他の例は、２０００年２月８日にＧ．Ｊ．Ｒａｊａｌａ他に付与された（代理人ドケット番号１０，５８１号）「移動ウェブ上に個別の部分を配置するための方法及び装置」という名称の米国特許第６，０２２，４４３号、及び、１９９８年１２月２９日出願（代理人ドケット番号第１３，０１０号）のＰ．Ｓ．ＭｃＮｉｃｈｏｌｓ他による「速度適合配置及び一体化結合を用いて移動ウェブ上に個別の構成要素を配置するための機械及び方法」という名称の米国特許出願一連番号０９／２２２，０９５に説明されている。これらの文献の全開示内容は、本明細書と矛盾しない方法で、本明細書に引用により組み込まれる。
【００３８】
個々のパネル組立体５０を物品ウェブ５８の個々の物品セグメント６０上の指定位置に作動的に取り付けた後、物品ウェブは、典型的に図示した転写アンビルロール１１８上に誘導することができる。典型的に図示した最終切断ナイフ１２０のような分離装置により、物品ウェブ５８が分割され、物品ウェブ５８から個々の物品セグメント６０を分離することができる。代替的に、任意の従来型切断装置を用いて、必要な分離及び分割作業を行うことができる。
【００３９】
個々の物品セグメント６０は、次に、典型的に図示したハーフフォルダ１２２のような従来の物品折畳み装置に誘導することができる。各物品セグメント６０を横断方向に折り畳む段階は、その第１ウエストバンド部分６２を、その対応する第２ウエストバンド部分６４と向き合う関係で実質的にそれと隣接して作動的に配置するように構成することができる。個々の物品セグメント６０を折り畳む段階はまた、第２ウエストバンド部分６４を、この物品セグメントの対応する第１ウエストバンド部分６２に取り付けられているパネル組立体５０及び５０ａと作動的に隣接させて配置することができる。より具体的には、第２ウエストバンド部分６４の側部部分７０は、必要に応じて、個々のパネル組立体５０の折畳み層部分５４の実質的に下側又は実質的に上側に作動的に配置することができる。各物品セグメントの横断方向に延びる折線は、その物品セグメントの中間部分６６を通って延びる。望ましい構成においては、各物品セグメント６０を横断方向に折り畳む段階は、その物品セグメントを実質的に半分に折り畳むことができる。
【００４０】
次に、折畳み板、折畳みスキー、折畳みプラウ、真空補助折畳み装置、又は、空気ブラスト補助折畳み装置などのような従来の折畳み機構（図示せず）を用いて、個々のパネル組立体５０の折畳み層部分５４を、隣接して配置された第１及び第２ウエストバンド部分の対応する側部部分の回りに折り曲げ、折畳み層部分５４を物品セグメント６０の第２ウエストバンド部分６４の側部部分の指定領域上に取り付けることができる。更に、選択された折畳み機構を用いて、個々のパネル組立体５０のタブウェブ部分５２を、その対応する物品セグメント６０の第１及び第２ウエストバンド部分の側部部分の回りに折り曲げることができる。折畳み層部分５４及び／又はタブウェブ部分５２を折り曲げる段階は、このような部分を、第２ウエストバンド部分の目標とする位置上にその部分を作動的に配置するのに必要な任意の円弧を通って旋回させることができる。典型的に図示した構成では、望ましい折り曲げ作業は、選択された折り曲げ部分を約１８０°の円弧角に亘って旋回させることができる。
折畳み層部分５４と第２ウエストバンド部分６４の側部部分７０との間に目標とする固定結合を形成した後、各物品セグメントを更に加工することができる。例えば、各折畳み物品セグメントは、圧縮ニップローラのシステムの中に誘導され、個々のパネル組立体５０とその対応する物品セグメント６０との間の取付けを強化することができる。
【００４１】
本発明の様々な構成において、付加された接着剤の特定のパターンは、実質的に連続又は不連続とすることができる。組立体ウェブ４８及び４８ａのいくつかの動き及び移動の間、１つ又はそれ以上の接着剤の付加パターンは、ローラ又は回転バーのような処理用構成要素に、接着剤を限られた時間だけ接触させる構成又は分布を有することができる。過剰な接着剤の蓄積及び／又は処理用構成要素の接触表面への組立体ウェブの付着を防ぐのを助けるために、処理用構成要素の適切な接触表面は、剥離が容易な低粘着性又は実質的に非粘着性の材料でコーティングすることができる。剥離が容易な従来のコーティングは、当業技術において公知であり、このようなコーティングには、例えば、ポリテトラフルオロエチレンなどを挙げることができる。
本発明をかなり詳細に説明したが、本発明の精神を逸脱することなく、様々な変形及び変更を行うことができることは直ちに明らかであろう。このような変形及び変更の全ては、特許請求の範囲で規定された本発明の範囲に含まれると考えられる。
【図面の簡単な説明】
【００４２】
【図１】本発明の方法及び装置を典型的に示す概略図である。
【図２】本発明の方法及び装置で生成することができるウェブ組立体の一部分を典型的に示す部分切取平面図である。
【図３】図２の線３−３に沿って取られた典型的な概略拡大端部断面図である。
【図３Ａ】パネル層の一部分が折り畳まれた後の図３のウェブ組立体を典型的に示す概略拡大端部断面図である。
【図４】組立体ウェブ（部分切取図に示す）が加工され、相互に結合された一連の個々のパネル組立体をもたらすように成形されたそのシーケンスを典型的に示す概略平面図である。
【図４Ａ】組立体ウェブを成形した後で、成形組立体ウェブ（部分切取図に示す）が縦方向に延びる折線に沿って折り畳まれたそのシーケンスを典型的に示す概略平面図である。
【図５】その後に続く組立体ウェブの成形前に、組立体ウェブ（部分切取図に示す）が縦方向に延びる折線に沿って折り畳まれたそのシーケンスを典型的に示す平面図である。
【図６】本発明の方法及び装置で生成することができる複合ウェブの一部分を典型的に示す部分切取平面図である。
【図７】図６の線７−７に沿って取られた典型的な概略拡大端部断面図である。
【図７Ａ】選択されたパネル層の周縁側部部分が折り畳まれた後の図７に示すウェブ組立体を典型的に示す概略拡大端部断面図である。
【図８】複合ウェブを成形及び分割して一組の組立体ウェブを形成する前に、複合ウェブ（部分切取図に示す）が目標とする縦方向に延びる折線に沿って折り畳まれたそのシーケンスを典型的に示す平面図である。
【図８Ａ】個々の組立体ウェブを成形した後に、分離した一組の成形組立体ウェブ（部分切取図に示す）が縦方向に延びる折線に沿って折り畳まれたそのシーケンスを典型的に示す概略平面図である。
【図９】複合ウェブを分割及び成形して一組の組立体ウェブを準備した後に、個々の組立体ウェブの各々を折り畳むための典型的なシステムを示す概略斜視図である。
【図１０】その後に複合ウェブを分割及び成形して一組の組立体ウェブを準備する前に、複合ウェブ（部分切取図に示す）が縦方向に延びる折線に沿って折り畳まれたそのシーケンスを典型的に示す概略平面図である。
【図１１】複合ウェブを分割及び成形して一組の組立体ウェブを準備する前に、個々の組立体ウェブの各々を折り畳むための典型的なシステムを示す概略斜視図である。
【図１２】個々のファスナ／パネル組立体を形成し、一連の最終物品を準備するために個々のパネル組立体を物品ウェブに付加してそれを組み立てる典型的なシステムの概略斜視図である。
【図１３】個々のファスナ／パネル組立体を形成し、一連の最終物品を準備するために個々のパネル組立体を物品ウェブに付加してそれを組み立てる、代替構成の接着剤アプリケータを用いた別の典型的なシステムの図である。
【図１４】物品セグメントの第１ウエストバンド部分に作動的に接合されて取り付けられたパネル組立体の典型的な概略拡大沿層方向図である。
【図１４Ａ】物品セグメントが折り畳まれて、物品セグメントの第１及び第２ウエストバンド部分が互いに作動的近接位置にもたらされた、物品セグメントの第１ウエストバンド部分に組み立てられたパネル組立体の典型的な概略拡大沿層方向図である。
【図１４Ｂ】物品セグメントの第２ウエストバンド部分の末端縁部の回りに折り曲げられたパネル組立体の典型的な概略拡大沿層方向図である。
【図１４Ｃ】パネル組立体の折畳み部分が、物品セグメントの第２ウエストバンド部分に作動的に接合されて組み立てられた後のパネル組立体の典型的な概略拡大沿層方向図である。
【図１５】物品の第１及び第２ウエストバンド部分の側部側縁に取り付けられた一対のファスナ／パネル組立体を有する典型的な折畳み物品の概略沿層方向端面図である。
【図１６】ファスナ／パネル組立体が締結を外されて開いた位置に移動された、典型的な折畳み物品の概略沿層方向端面図である。
【図１７】本発明を用いて生成することができる典型的な予め締結した物品の概略斜視図である。
【国際公開パンフレット】
2004529683.tif 000003
2004529683.tif 000004
2004529683.tif 000005
2004529683.tif 000006
2004529683.tif 000007
2004529683.tif 000008
2004529683.tif 000009
2004529683.tif 000010
2004529683.tif 000011
2004529683.tif 000012
2004529683.tif 000013
2004529683.tif 000014
2004529683.tif 000015
2004529683.tif 000016
2004529683.tif 000017
2004529683.tif 000018
2004529683.tif 000019
2004529683.tif 000020
2004529683.tif 000021
2004529683.tif 000022
2004529683.tif 000023
2004529683.tif 000024
2004529683.tif 000025
2004529683.tif 000026
2004529683.tif 000027
2004529683.tif 000028
2004529683.tif 000029
2004529683.tif 000030
2004529683.tif 000031
2004529683.tif 000032
2004529683.tif 000033
2004529683.tif 000034
2004529683.tif 000035
2004529683.tif 000036
2004529683.tif 000037
2004529683.tif 000038
2004529683.tif 000039
2004529683.tif 000040
2004529683.tif 000041
2004529683.tif 000042
2004529683.tif 000043
2004529683.tif 000044
2004529683.tif 000045
2004529683.tif 000046
2004529683.tif 000047
2004529683.tif 000048
2004529683.tif 000049
【国際公開パンフレット（コレクトバージョン）】
2004529683.tif 000050
2004529683.tif 000051
【国際調査報告】
2004529683.tif 000052
2004529683.tif 000053
2004529683.tif 000054